(57)【特許請求の範囲】
【請求項１】
第一、第二の金属電極で誘電体層を挟み、第一、第二の金属電極と誘電体層との境界面にそれぞれ集電層を設けた大容量キャパシタ装置において、
前記集電層のそれぞれは、３次元的に相互連結した気孔を有する多孔質セラミックを基材として、その気孔に金属を担持させてなる立体網目状金属を備えており、
前記立体網目状金属は、前記気孔に金属イオンを滴下させて形成した金属微粒子を担持させて連続体となし、その連続体を前記第一、第二の金属電極と電気接続した構造にしていることを特徴とする大容量キャパシタ装置。
【請求項２】
請求項１において、
前記大容量キャパシタ装置は絶縁性シート基材の一方の面に形成されており、かつ多重円筒巻されて円筒状キャパシタユニットを構成している大容量キャパシタ装置。
【請求項３】
請求項１において、
前記大容量キャパシタ装置は多重に積層させて並列に接続されている大容量キャパシタ装置。
【請求項４】
請求項１乃至３のいずれか一項に記載の大容量キャパシタ装置と、充放電制御回路とを備えて構成された二次電池。
【発明の詳細な説明】
【技術分野】
【０００１】
本発明は、第一、第二の電極と誘電体層との境界面に集電層を設けた大容量キャパシタ装置の改良と、その改良されたキャパシタ装置を用いた二次電池とに関する。
【背景技術】
【０００２】
前記のような大容量キャパシタ装置の従来技術として次の特許文献がある。
【先行技術文献】
【特許文献】
【０００３】
【特許文献１】特許第５３９４９８７号公報
【発明の概要】
【発明が解決しようとする課題】
【０００４】
しかしながら前記特許文献に記載の電気エネルギー蓄積装置では、集電層に金属微粒子が３次元的に相互連結した構造を必要とするのでその形成が難しいという問題があった。これに対して本発明は金属微粒子を用いずに形成される大容量キャパシタ装置を提供することを目的としている。
【課題を解決するための手段】
【０００５】
本発明は、第一、第二の金属電極で誘電体層を挟み、第一、第二の金属電極と誘電体層との境界面にそれぞれ集電層を設けた大容量キャパシタ装置において、前記集電層のそれぞれは、３次元的に相互連結した気孔を有する多孔質セラミックを基材として、その気孔に金属を担持させてなる立体網目状金属を備えており、前記立体網目状金属は、前記気孔に金属イオンを滴下させて形成した金属微粒子を担持させて連続体となし、その連続体を前記第一、第二の金属電極と電気接続した構造にしていることを特徴としている。
【０００６】
また本発明は、前記キャパシタ装置を２以上と、充放電制御回路とを備えて構成された二次電池である。
【発明の効果】
【０００７】
本発明は金属微粒を用いない構成の大容量キャパシタ装置を提供できる。
【図面の簡単な説明】
【０００８】
【図１】（ａ）は一実施形態の基本的な構成図、（ｂ）は集電層の概略断面図である。
【図１Ａ】（ａ）、（ｂ）はいずれも集電層の他例の概略断面図である。
【図２】は実施形態の他例の基本的な構成図である。
【図３】（ａ）はキャパシタユニットの基本的な構成図、（ｂ）は二次電池の基本的な構成図である。
【図４】二次電池の基本的な回路図である。
【図５】二次電池の充放電特性図である。
【発明を実施するための形態】
【０００９】
図１（ａ）は、本発明の一実施形態の基本的な構成図である。
この実施形態のキャパシタ装置Ａは、第一、第二の電極１、１で誘電体層３を挟み、第一、第二の電極１、２と誘電体層３との境界面に集電層２、２を設けた基本構成であり、絶縁性シート基材４の片面に形成されている。集電層２、２は３次元的に相互連結した多孔質セラミックの気孔に金属を担持させたものである。また第一、第二の電極１、２から出力用リード線５、５が導出されている。なお第一、第二の電極１、１は、例えば銅、ニッケル等の金属やそれらの合金からなる。誘電体層３は、例えばチタン酸バリウム等のセラミックからなる。
【００１０】
図１（ｂ）は、集電層の概略断面図である。
この図に示すように、集電層２は、例えばアイオライト等の多孔質セラミック２ａの気孔２ｂに例えば銅、ニッケル等の金属を担持させたものである。気孔２ｂは３次元的に相互連結した立体網目状になっている。これは例えば、多孔質セラミック２ａを予め形成し、それを、金属を含有した化合液に浸漬してその後水分を除去、加熱するなどして、多孔質セラミック２ａと金属とを結合させることでも形成できる。
【００１１】
集電層２、２に形成された立体網目状金属は、サブミクロン、ナノ、ピコレベルの微細な金属片、薄膜の連続体であり、そのため体積比で巨大な表面積を有する。そのような立体網目状金属を第一、第二の電極１、１に電気的に接続させれば、第一又は第二の電極１、１の表面が飛躍的に拡大されることになって、キャパシタ装置Ａが大容量される。
【００１２】
前記キャパシタ装置Ａの製造方法の一例を簡単に説明する。まず誘電体層を形成すべきセラミックの素材混練物シート（グリーンシート）を形成し、その両面に多孔質セラミックの素材混練物を積層させたあと焼成してからその気孔になるべき部分を例えば化学的手法で選択的に除去する。これにより中央にセラミック誘電体を配し、更にその両側に多孔質セラミックが結合された多層セラミックシートが得られる。この多層セラミックシートの両側に金属をスパッタリング或いはコートして浸透させれば、多孔質セラミックの気孔に金属を担持させられる。最後にその多層セラミックシートに第一、第二の電極をスパッタリング等で形成すれば、キャパシタ装置Ａが完成する。
【００１３】
図１Ａ（ａ）、（ｂ）はいずれも集電層の他例の概略断面図である。
図１Ａ（ａ）に示す集電層２は、気孔２ｂの大部分が厚み方向に長い細孔状になっている。すなわち多孔質セラミック２ａの中実部分は細孔の周壁部分を形成している。
一方、図１Ａ（ｂ）に示す集電層２は、多孔質セラミック２ａの中実部分が厚み方向に長い細孔状になっている。すなわち金属が細孔の周壁部分を形成している。
【００１４】
図２は、実施形態の他例の基本的な構成図である。
この実施形態は、前記実施形態のキャパシタ装置を多重に積層させて並列化したものである。並列化されたキャパシタ装置Ａのそれぞれの基本構成は、前記実施形態と同様である。このような多重積層による並列化によってキャパシタ装置Ａを更に大容量化できる。
【００１５】
図３（ａ）、（ｂ）はそれぞれキャパシタユニット、二次電池の基本的な構成図である。また図４は、二次電池の基本的な回路図、図５は二次電池の充放電特性図である。
このキャパシタユニットは、図１（ａ）に示したキャパシタ装置Ａを多重円筒巻した構成である。このような構成とすれば、大容量かつ小型のキャパシタユニットが得られる。
二次電池Ｂは、キャパシタ装置Ａを２以上と、充放電制御回路Ｃとを備えて構成されている。充放電制御回路Ｃは、キャパシタの一般的特性である急速充電、急速放電を、従来の二次電池のような穏やかなものにする装置であり、ＤＣ−ＤＣコンバータ等で構成できる。このような二次電池Ｂは、従来の鉛、ニッカド蓄電池等を代替できる。
なお図２に示したキャパシタ装置Ａと、前記のような充放電制御回路Ｃとを組み合わせて二次電池Ｂを構成していてもよい。
【００１６】
前記のように本発明は、セラミックあるいは高分子含めたプラスチック等の誘電体式薄膜キャパシタ装置において、導電性材料で形成された第一、第二の電極と、その第一、第二の電極に挟まれるように形成された誘電体層とからなり、第一の電極と誘電体層との間および第二の電極と誘電体層との間に、誘電体基材及び導電性電子流動基材を通気性多孔質基材と多孔質基材のナノ寸法、ピコ寸法の気孔部に充填することで、また充填時に量子ドット基材を複合したマトリックス複合基材により複合微細孔子体とマトリックス複合基材との接触部がナノ化及び量子ドット化することで電極基材の表面積を拡大するとともに電子流動性を高める効果を実現するものである。
【００１７】
前記ナノ微細孔子集積体或いはナノ及び量子ドット複合微細孔子積層体を合わせ表現する微細孔子集積体と複合マトリックス基材との複合薄膜シートに関して、微細孔子集積体と複合マトリックス基材は電極基材あるいは誘電体基材のどちらの組合せであっても接触部はナノ粒子効果あるいはナノ及び量子ドット複合効果が実現できる。
ただし微細孔子集積体あるいは複合マトリックス基材が導電基材である場合は、微細孔子集積体の内部及び電極部表面と電子流動性を維持できる範囲で連続して繋がっている必要がある。
【００１８】
また微細孔子集積体或いは複合マトリックス基材が導電性基材である場合の材質は金属、カーボン、グラファイト、ダイアモンド、導電性有機物または導電性セラミック、超伝導材料等のいずれかの導電物質であってもよいが、電子流動性が高い程蓄電性が高まる。
【００１９】
また本発明によれば、セラミックキャパシタを基盤に進める場合はナノレベル導電体充填通気孔子基材（以下ナノ基材とも称する）と量子レベルの絶縁性微粒子基材（以下量子基材とも称する）の混合によりセラミック絶縁体通気気孔基材と導電マトリックス基材との接触面積の拡大により電極の表面積を飛躍的に拡大化するとともに電子感受性を高めることで、電子流動性および電子集合性を高める相乗効果により静電容量および蓄電容量を飛躍的に高めた薄膜キャパシタ装置を得ることができる 。 
【００２０】
また本発明によれば、薄膜キャパシタ装置において、集電体層に用いられる基材が磁化または超伝導化することでさらに高性能化が期待できる。
【００２１】
また、本発明によれば、量子レベルの外形寸法を有する基材は、球状、躯体状、テトラポット形状、長繊維状または短繊維状のいずれか、またはそれらを組み合わせた形状を有することを特徴とする。
【００２２】
量子レベルの外形寸法を有する基材（量子基材）の種々の形状のいずれかまたはそれらの組み合わせにより大容量の薄膜キャパシタ装置が可能となる。
【００２３】
本発明によれば、量子レベルの外形寸法を有する基材は、中空状の形態を有する基材であることも可能とする。
【００２４】
量子レベルの外形寸法を有する基材（量子基材）を中空にすることで 電極の表面積が拡大し、より電子感受性が増加し、大容量の薄膜キャパシタ装置が可能となる。  
【００２５】
また、本発明によれば、前記量子レベルの外形寸法を有する基材は、縦、横、高さまたは先端形状のいずれかが１ｎｍ以下、すなわちピコレベルの外形寸法であることを特徴とする。
【００２６】
本発明を実施する上で適切な量子基材の外形寸法を使用することで大容量の薄膜キャパシタ装置が可能となる。
【符号の説明】
【００２７】
Ａ      キャパシタ装置
Ｂ      二次電池
Ｃ      充放電制御回路
１      電極
２      集電層
３      誘電体層
４      絶縁性シート基材
【図１】
0006903276.tif 000002
【図１Ａ】
0006903276.tif 000003
【図２】
0006903276.tif 000004
【図３】
0006903276.tif 000005
【図４】
0006903276.tif 000006
【図５】
0006903276.tif 000007